(57)【要約】      （修正有）【課題】歩行するためにスティックを必要とする者がグラウンドゴルフ、ゲートボール等の球技をする場合、歩行の補助手段としても使用可能なスティックを提供する。【解決手段】シャフトと、このシャフトの上端を取り付けるシャフト上端取付部を有し、長手方向の一端側に把持部を有したグリップとを備えたスティックにおいて、シャフト上端取付部は、グリップの長手方向の中心よりも他端側に設けられ、グリップの他端には、シャフトの長手方向と略平行な打撃面が設けられ、球技をする場合は、シャフトの下端近傍を把持して、打撃面にて球を打撃するようにした。【選択図】図４
2010158491.tif 000002
【特許請求の範囲】
【請求項１】
シャフトと、
該シャフトの上端を取り付けるシャフト上端取付部を有し、長手方向の一端側に把持部を有したグリップと、
を備えたスティックにおいて、
前記シャフト上端取付部は、前記グリップの長手方向の中心よりも他端側に設けられ、
前記グリップの他端には、前記シャフトの長手方向と略平行な打撃面が設けられ、
球技をする場合は、前記シャフトの下端近傍を把持して、前記打撃面にて球を打撃することを特徴とするスティック
【請求項２】
前記グリップの前記打撃面の近傍上面は、前記グリップの前記把持部の上面よりも突出した請求項１に記載のスティック
【請求項３】
前記シャフトは、着脱可能な上部シャフトと下部シャフトとからなり、
該上部シャフトまたは前記グリップの内部には、振動センサが設けられ、
該下部シャフトの内部には、前記振動センサの出力に基づいて振動する振動発生器が設けられた請求項１または請求項２に記載のスティック
【請求項４】
前記シャフトは、着脱可能な上部シャフトと下部シャフトとからなり、
該上部シャフトまたは前記グリップの内部には、振動センサが設けられ、
前記上部シャフトおよび／または前記下部シャフトには、前記振動センサの出力に基づいて発光する発光素子が設けられた請求項１または請求項２に記載のスティック
【請求項５】
前記シャフトは、着脱可能な上部シャフトと下部シャフトとからなり、
該上部シャフトまたは前記グリップの内部には、振動センサが設けられ、
前記上部シャフトおよび／または前記下部シャフトには、前記振動センサの出力に基づいて発音する発音素子が設けられた請求項１または請求項２に記載のスティック
【発明の詳細な説明】
【技術分野】
【０００１】
本発明は、主に歩行の補助として用いられるスティックに関するものである。
【背景技術】
【０００２】
従来より歩行の補助として用いられるスティックに関する多くの技術が開示されている。これらのスティックは、シャフトの一端にグリップが設けられたものが一般的である（例えば、特許文献１、特許文献２等）。
【先行技術文献】
【特許文献】
【０００３】
【特許文献１】特開２００７−１３６１４８号公報
【特許文献２】特開２００７−０７５５５７号公報
【発明の概要】
【発明が解決しようとする課題】
【０００４】
しかし、歩行するためにスティックを必要とする者であってもエッグゴルフ（実用新案登録第３１３４５７９号公報）、グラウンドゴルフ、ゲートボール等の球技をする場合がある。このような場合、歩行の補助として用いるスティックの他に球技用スティックが必要であるという問題があった。
【０００５】
また、盲人や視力が悪い者等が健常者の補助を得てエッグゴルフ等の球技をした場合、プレーヤー本人が、球技用スティックにて実際に球（ボール）を打撃したことが分からない場合があり、球技のおもしろさに欠けるという問題もあった。
【０００６】
本発明は、前記した問題を解決するためになされたものであって、スティック本来の歩行補助としての杖としての機能のみならず、球技用スティック（打撃具）としての機能を持たせたスティックを提供することを目的とする。
【課題を解決するための手段】
【０００７】
（第１発明）
第１発明に係るスティックは、シャフトと、このシャフトの上端を取り付けるシャフト上端取付部を有し、長手方向の一端側に把持部を有したグリップと、を備えたスティックにおいて、シャフト上端取付部は、グリップの長手方向の中心よりも他端側に設けられ、グリップの他端には、シャフトの長手方向と略平行な打撃面が設けられ、球技をする場合は、シャフトの下端近傍を把持して、打撃面にて球を打撃するものである。
【０００８】
かかる構成により、スティック本来の歩行補助としての杖としての機能のみならず、球技用スティックとしての機能を持たせたスティックを提供することができる。
【０００９】
すなわち、本第１発明に係るスティックは、本来の歩行を補助するための杖として使用する場合は、グリップを上、シャフトを下にし、グリップの長手方向の一端側に設けた把持部を手で把持して使用する。そして、球技をする場合は、スティックの上下を逆、つまり、グリップを下、シャフトを上にし、シャフトの下端近傍を手で把持して、グリップの他端に設けた打撃面にて球を打撃する。
【００１０】
（第２発明）
第２発明に係るスティックは、前記した第１発明において、グリップの打撃面の近傍上面は、グリップの把持部の上面よりも突出したものである。
【００１１】
言い換えれば、第１発明に係るスティックは、歩行の補助として使用する場合（グリップが上、シャフトが下の場合）において、グリップの打撃面の近傍上面は、グリップの把持部の上面よりも高い位置にあるものである。
【００１２】
かかる構成により、スティックの上下を逆にして（グリップが下、シャフトが上）、球技用スティックとして使用する場合、打撃面の近傍上面（この場合はスティックの上下が逆になっているので、実際には下面）が地面、床等に接するため、杖として使用する際に手で把持するグリップの把持部が地面、床等に接することが無い。このため、球技を終えた後、再度、スティックを杖として使用する場合に、球技によって把持部が汚れていないので、把持部を手で掴んでも手に土等が付着する等して汚れることが無い。
【００１３】
（第３発明）
第３発明に係るスティックは、前記した第１発明または第２発明において、シャフトは、着脱可能な上部シャフトと下部シャフトとからなり、この上部シャフトまたはグリップの内部には、振動センサが設けられ、下部シャフトの内部には、振動センサの出力に基づいて振動する振動発生器が設けられたものである。
【００１４】
かかる構成により、第３発明に係るスティックを用いて、盲人等が健常者の補助を得て、エッグゴルフ、グラウンドゴルフ、ゲートボール等の球技をした場合、盲人等は、球を打撃したことを振動により知ることができるので、球技の面白みをより一層味わうことができる。
【００１５】
つまり、球技中に自分が打撃する順番が回ってきた場合、第３発明に係るスティックを、杖として機能している状態（グリップが上、シャフトが下）から、上下を逆にして、球技用スティックとして機能する状態（グリップが下、シャフトが上）にし、グリップの打撃面で球を打撃する。そうすると、打撃面と球が衝突することによりグリップに生じた小さな振動は、上部シャフトまたはグリップの内部に設けられた振動センサが検知する。そして、かかる振動センサの出力（電気信号）は、下部シャフトの内部に設けられた振動発生器に送られ、振動発生器が振動することにより、下部シャフトの下端近傍を把持した手に振動が伝わるのである。
【００１６】
（第４発明）
第４発明に係るスティックは、前記した第１発明または第２発明において、シャフトは、着脱可能な上部シャフトと下部シャフトとからなり、この上部シャフトまたはグリップの内部には、振動センサが設けられ、上部シャフトおよび／または下部シャフトには、振動センサの出力に基づいて発光する発光素子が設けられたものである。
【００１７】
かかる構成により、第４発明に係るスティックを用いて、グラウンドゴルフ等の球技をした場合、プレイヤーは、球を打撃したことを光により周りにいるギャラリーに知らせることができるので、球技の面白みをより一層味わうことができる。
【００１８】
（第５発明）
第５発明に係るスティックは、前記した第１発明または第２発明において、シャフトは、着脱可能な上部シャフトと下部シャフトとからなり、この上部シャフトまたはグリップの内部には、振動センサが設けられ、上部シャフトおよび／または下部シャフトには、振動センサの出力に基づいて発音する発音素子が設けられたものである。
【００１９】
かかる構成により、第５発明に係るスティックを用いて、グラウンドゴルフ、エッグゴルフ、ゲートボール等の球技をした場合、プレイヤーは、球を打撃したことを音により周りにいるギャラリーに知らせることができるので、球技の面白みをより一層味わうことができる。
【発明の効果】
【００２０】
本発明は、スティック本来の歩行補助としての杖としての機能のみならず、球技用スティック（打撃具）としての機能を持たせたスティックを提供することができる。
【図面の簡単な説明】
【００２１】
【図１】（１）本発明に係るスティックを杖として使用した場合の側面図、（２）本発明に係るスティックを杖として使用した場合の正面図（図１（１）の矢視Ａ）
【図２】（１）本発明に係るスティックを球技用スティックとして使用した場合の側面図、（２）本発明に係るスティックを球技用スティックとして使用した場合の背面図（図２（１）の矢視Ｂ）
【図３】本発明に係るスティックの上部の組み立てを説明するための斜視図
【図４】（１）本発明に係るスティックを杖として使用した場合の側面図、（２）本発明に係るスティックを杖として使用した場合の正面図（図４（１）の矢視Ａ）
【図５】（１）本発明に係るスティックを球技用スティックとして使用した場合の側面図、（２）本発明に係るスティックを球技用スティックとして使用した場合の背面図（図５（１）の矢視Ｂ）
【図６】本発明に係るスティックを使用した状態を示す側面図
【図７】本発明に係るスティックを杖として使用した場合の側面図
【図８】本発明に係るスティックを使用した状態を示す側面図
【図９】（１）本発明に係るスティックを杖として使用した場合の側面図、（２）本発明に係るスティックを杖として使用した場合の正面図（図９（１）の矢視Ａ）
【図１０】（１）本発明に係るスティックを球技用スティックとして使用した場合の側面図、（２）本発明に係るスティックを球技用スティックとして使用した場合の背面図（図１０（１）の矢視Ｂ）
【図１１】本発明に係るスティックを使用した状態を示す側面図
【図１２】本発明に係るスティックを杖として使用した場合に側面から見た断面図
【図１３】本発明に係るスティックを球技用スティックとして使用した場合に側面から見た断面図
【図１４】本発明に係るスティックを球技用スティックとして使用した場合に側面から見た断面図
【図１５】本発明に係るスティックを球技用スティックとして使用した場合に側面から見た断面図
【図１６】本発明に係るスティックを球技用スティックとして使用した場合に側面から見た断面図
【図１７】本発明に係るスティックを球技用スティックとして使用した場合に側面から見た断面図
【発明を実施するための形態】
【００２２】
以下、図面を用いて本発明を詳細に説明する。
【実施例１】
【００２３】
図１（１）は本発明に係るスティックを杖として使用した場合の側面図であり、図１（２）は本発明に係るスティックを杖として使用した場合の正面図（図１（１）の矢視Ａ）である。また、図２（１）は本発明に係るスティックを球技用スティックとして使用した場合の側面図であり、図２（２）は本発明に係るスティックを球技用スティックとして使用した場合の背面図（図２（１）の矢視Ｂ）である。また、図３は、本発明に係るスティックの組み立てを説明するための斜視図である。
【００２４】
（スティック）
図１に示すように、本発明に係るスティック７は、シャフト１と、このシャフト１の上端９を取り付けるシャフト上端取付部２を有し、長手方向の一端５の側に把持部３を有したグリップ４とを備えたものである。そして、シャフト上端取付部２は、グリップ４の長手方向の中心８よりも他端６の側に設けられており、このグリップ４の他端６には、シャフト１の長手方向と略平行な打撃面１１が設けられている。
【００２５】
ここで、シャフト上端取付部２とは、図３に示すように、グリップ４の長手方向とは垂直な方向に設けられた孔のことであり、このシャフト上端取付部２にシャフト１の上端９を圧入または挿入して接着固定することにより、シャフト１とグリップ４とを連結する。
【００２６】
（杖として使用する場合）
このスティック７を杖として使用する場合は、図１に示すように、シャフト１を下、グリップ４を上にして使用する。すなわち、スティック７の使用者は、グリップ４の把持部３を片手または両手で把持し、歩行に応じて、シャフト１の下端１０を地面の異なる位置に接触させて（突き立てて）歩行する。
【００２７】
（球技用スティックとして使用する場合）
また、スティック７を球技用スティックとして使用する場合は、図２に示すように、シャフト１を上、グリップ４を下にして使用する。すなわち、スティック７の使用者は、シャフト１の下端１０の近傍の把持部Ｄを片手または両手で把持し、地面に置かれた球２０を、グリップ４の他端６に設けられた打撃面１１で打撃する。
【００２８】
このように、スティック７は、図１に示すように、シャフト１を下、グリップ４を上にした場合、杖として使用することができ、図２に示すように、シャフト１を上、グリップ４を下にした場合、球技用スティックとして使用することができる。
【００２９】
つまり、１本のスティックにより、杖および球技用スティックの２通りの使い方ができるので、杖による歩行の補助を必要とする者が、球技用スティックにより球を打撃するエッグゴルフ、グラウンドゴルフ、ゲートボール等のプレイヤーである場合に、２本のスティックを持って移動等する必要が無い。
【実施例２】
【００３０】
以下に本発明に係るスティックの第２実施例について図４乃至図６を用いて説明する。
図４（１）は本発明に係るスティックを杖として使用した場合の側面図であり、図４（２）は本発明に係るスティックを杖として使用した場合の正面図（図４（１）の矢視Ａ）である。また、図５（１）は本発明に係るスティックを球技用スティックとして使用した場合の側面図であり、図５（２）は本発明に係るスティックを球技用スティックとして使用した場合の背面図（図５（１）の矢視Ｂ）である。また、図６は、本発明に係るスティックを使用した状態を示す側面図である。尚、実施例１と同様の部分は、同一の符号を付して説明を省略する。
【００３１】
本実施例２に係るスティックの実施例１に係るスティックとの主な相違点は、図４（１）および図５（１）に示すように、グリップ４の他端６に形成された打撃面１１の近傍の上面２６がグリップ４の把持部３の上面２７よりも寸法Ｅだけ突出した点である。
【００３２】
すなわち、図４に示すように、グリップ４の打撃面１１の近傍の上面には、突出部１２が形成されているため、図５に示すように、球技用スティックとして使用する場合（シャフト１が上、グリップ４が下）、突出部１２の上面２６のみが地面に接触するため、把持部３の上面２７が地面に接触することが無い。このため、図４に示すように、球技が終わった後、再度杖として使用（シャフト１が下、グリップ４が上）しても、把持部３が土等で汚れていないので、手が汚れることがない。
【００３３】
また、グリップ４の一端５の近傍上面２７が、他端６の近傍上面２６よりも寸法Ｅだけ引っ込んでいるため、図６に示すように、球２０をスティック７により打撃した後、スティック７を振り切っても、グリップ４の一端５の近傍の上面２７が地面に接触することが少ない。このため、球２０をスティック７により打撃する際に、スティック７を力一杯振ることができる。
【実施例３】
【００３４】
以下に本発明に係るスティックの第３実施例について図７および図８を用いて説明する。
図７は本発明に係るスティックを杖として使用した場合の側面図であり、図８は、本発明に係るスティックを打球用スティックとして使用した状態を示す側面図である。尚、実施例２と同様の部分は、同一の符号を付して説明を省略する。
【００３５】
本実施例３に係るスティックの実施例２に係るスティックとの主な相違点は、グリップ４の一端５の上面の角部に切り欠き２４を形成した点である。かかる構成により、前記した実施例２の効果を奏するのみならず、切り欠き２４が形成されているので、図８に示すように、球２０をスティック７により打撃した際にグリップ４の一端５の近傍の上面２７が地面に接触する可能性を、実施例２に係るスティックを使用した場合よりもさらに小さくすることができる。このため、球２０をスティック７の打撃面で打撃する際に、スティック７を力一杯振り切ることができる。
【実施例４】
【００３６】
以下に本発明に係るスティックの第４実施例について図９乃至図１１を用いて説明する。
図９（１）は本発明に係るスティックを杖として使用した場合の側面図であり、図９（２）は本発明に係るスティックを杖として使用した場合の正面図（図９（１）の矢視Ａ）である。また、図１０（１）は本発明に係るスティックを球技用スティックとして使用した場合の側面図であり、図１０（２）は本発明に係るスティックを球技用スティックとして使用した場合の背面図（図１０（１）の矢視Ｂ）である。また、図１１は、本発明に係るスティックを使用した状態を示す側面図である。尚、実施例２と同様の部分は、同一の符号を付して説明を省略する。
【００３７】
本実施例４に係るスティックの実施例２に係るスティックとの主な相違点は、図９に示すように、グリップ４の他端６に形成された打撃面１１の近傍の上面が円弧面２５になっている点である。このように、打撃面１１の近傍の上面が円弧面２５になっているので、スティック７を球技用スティックとして使用した場合に、図１１に示すように円弧面２５が地面に接触した際のエネルギーロス（シャフト１に伝えられる衝撃）を小さくし、スティック７をスムーズに振り切ることができる。
【００３８】
このため、より多くのエネルギーを球に与えることができ、球の飛距離を伸ばすことができる。
尚、本実施例４に係るスティックは、実施例３に係るスティックと同様、グリップ４の一端５の上面の角部に図７に示すような切り欠き２４を形成しても良い。この場合は、言うまでもなく、本実施例４の効果のみならず、実施例３の効果も得ることができる。
【実施例５】
【００３９】
以下に本発明に係るスティックの第５実施例について図１２および図１３を用いて説明する。
図１２は本発明に係るスティックを杖として使用した場合に側面から見た断面図であり、図１３は本発明に係るスティックを球技用スティックとして使用した場合に側面から見た断面図である。尚、実施例４と同様の部分は、同一の符号を付して説明を省略する。
【００４０】
本実施例５に係るスティックの実施例４に係るスティックとの主な相違点は、シャフト１が着脱可能な上部シャフト１３と下部シャフト１４とからなり、上部シャフト１３の内部には振動センサ１５が設けられ、下部シャフト１４の内部には振動センサ１５の出力に基づいて振動する振動発生器１６が設けられた点である。
【００４１】
さらに詳述すると、図１２に示すように、シャフト１は、アルミニウム等の金属、またはプラスチックの中空のパイプ状の材料からなる上部シャフト１３と下部シャフト１４の２部品で構成され、これら上部シャフト１３と下部シャフト１４は、接続部２１において接続されている。
【００４２】
この接続部２１は、２本のシャフトを接続するための公知の技術を採用することができる。例えば、接続部２１における上部シャフト１３の外周面に雄ねじを形成し、接続部２１における下部シャフト１４の内周面に雌ねじを形成し、この雌ねじに雄ねじを螺合する等である。
【００４３】
そして、上部シャフト１３の中空部の上方（グリップ４の近傍）には、グリップ４の他端６に設けられた打撃面１１に発生した振動を検知する振動センサ１５が設けられ、上部シャフト１３の中空部の下方には、振動センサ１５と後述する振動発生器１６の動作を制御する制御装置１７、および電源装置２３が設けられている。尚、電源装置２３は、長尺な専用バッテリーであっても、市販されている単一電池等の汎用電池を複数直列に接続して構成しても良い。また、下部シャフト１４の中空部の下方には、振動発生器１６が設けられている。
【００４４】
前記した構成のスティック７を、球技用スティックとして使用する場合は、図１３に示すように、上下逆にして、シャフト１を上、グリップ４を下にする。そして、打撃面１１で球を打撃した際にグリップ４に発生した振動は、上部シャフト１３のグリップ４の近傍に設けられた振動センサ１５により検出することができる。振動センサ１５は、検出した振動を、振動の大きさに対応したアナログまたはデジタルの電気信号αに変換し、制御装置１７に図示しない配線を介して送信する。
【００４５】
制御装置１７は、振動センサ１５からの電気信号αを受信して、所定時間（例えば、０．５秒）経過した後、下部シャフト１４に設けられた振動発生器１６に対して、受信した電気信号αに対応したアナログまたはデジタルの電気信号βを所定時間（例えば、１５秒）図示しない配線を介して送信する。そうすると、振動発生器１６は、この電気信号βに対応した大きさの振動を発生する。
【００４６】
尚、制御装置１７が電気信号αを受信した後、所定時間経過後に電気信号βを出力する、すなわち、遅延回路を有する理由は、振動発生器１６により生じた振動がシャフト１を介してグリップに伝わり、球の打撃に影響することが無いようにするためである。
【００４７】
振動発生器１６は下部シャフト１４の下方、すなわち、球技用スティックの把持部Ｄの近傍に設けられているので、プレイヤーがスティック７で球を打撃すると、シャフト１を把持する手に振動発生器１６による増幅された振動が伝えられる。
【００４８】
すなわち、盲人、難聴者等が健常者の補助を得て、エッグゴルフ、グラウンドゴルフ、ゲートボール等のプレイヤーとなる場合、当該プレイヤーは、球を打撃したことを手に伝わる振動により知ることができるので、球技の面白みをより一層味わうことができる。
尚、本実施例５に係るスティックは、実施例３に係るスティックと同様、グリップ４の一端５の上面の角部に図７に示すような切り欠き２４を形成しても良い。この場合は、言うまでもなく、本実施例５の効果のみならず、実施例３の効果も得ることができる。
【実施例６】
【００４９】
以下に本発明に係るスティックの第６実施例について図１４を用いて説明する。
図１４は本発明に係るスティックを球技用スティックとして使用した場合に側面から見た断面図である。尚、実施例５と同様の部分は、同一の符号を付して説明を省略する。
【００５０】
本実施例６に係るスティックの実施例５に係るスティックとの主な相違点は、振動センサ１５をグリップ４の内部に設けた点である。
かかる構成であっても、前記した実施例５と同様の効果を得ることができる。
【実施例７】
【００５１】
以下に本発明に係るスティックの第７実施例について図１５を用いて説明する。
図１５は本発明に係るスティックを球技用スティックとして使用した場合に側面から見た断面図である。尚、実施例５と同様の部分は、同一の符号を付して説明を省略する。
【００５２】
本実施例７に係るスティックの実施例５に係るスティックとの主な相違点は、振動発生器１６の代わりに、上部シャフト１３および下部シャフト１４に振動センサ１５の出力に基づいて発光する発光素子１８を設けた点である。
【００５３】
さらに詳述すると、図１５に示すように、シャフト１は、透明プラスチック材料からなる中空パイプの上部シャフト１３と下部シャフト１４の２部品で構成され、これら上部シャフト１３と下部シャフト１４は、接続部２１において接続されている。
【００５４】
そして、上部シャフト１３の中空部の上方（グリップ４の近傍）には、グリップ４に発生した振動を検知する振動センサ１５が設けられ、上部シャフト１３の中空部の下方には、振動センサ１５と振動発生器１６の動作を制御する制御装置１７と、電源装置２３が設けられている。
また、上部シャフト１３および下部シャフト１４の中空部には、高輝度ＬＥＤ等からなる発光素子１８が設けられている。
【００５５】
かかる構成のスティック７を、球技用スティックとして使用する場合は、図１５に示すように、シャフト１を上、グリップ４を下にする。そして、打撃面１１で球を打撃した際にグリップ４に発生した振動は、上部シャフト１３のグリップ４の近傍に設けられた振動センサ１５により検出することができる。振動センサ１５は、検出した振動を、振動の大きさに対応したアナログまたはデジタルの電気信号αに変換し、制御装置１７に送信する。
【００５６】
制御装置１７は、振動センサ１５からの電気信号αを受信して、上部シャフト１３および下部シャフト１４に設けられた発光素子１８に対して、受信した電気信号αに対応したアナログまたはデジタルの電気信号βを所定時間（例えば、１５秒）送信する。そうすると、発光素子１８は、この電気信号βに対応した大きさの光を前記した所定時間発生する。
【００５７】
本実施例７に係るスティックは、球を打撃した後、所定時間発光するので、エッグゴルフ、グラウンドゴルフ、ゲートボール等の球技をした場合、球を打撃したことを光により周囲のギャラリーに知らせることができる。このため、プレイヤーは、球技の面白みをより一層味わうことができる。
【００５８】
尚、本実施例７は、発光素子を上部シャフト１３および下部シャフト１４に設けたスティックを示したが、発光素子は、上部シャフト１３または下部シャフト１４のいずれか一方に設けても良い。また、振動センサは、実施例６に示したように、グリップ４の内部に設けても良い。
【実施例８】
【００５９】
以下に本発明に係るスティックの第８実施例について図１６を用いて説明する。
図１６は本発明に係るスティックを球技用スティックとして使用した場合に側面から見た断面図である。尚、実施例７と同様の部分は、同一の符号を付して説明を省略する。
【００６０】
本実施例８に係るスティックの実施例７に係るスティックとの主な相違点は、発光素子１８の代わりに、上部シャフト１３および下部シャフト１４に振動センサ１５の出力に基づいて発音する発音素子１９を設けた点である。
【００６１】
さらに詳述すると、図１６に示すように、シャフト１は、金属またはプラスチック材料からなる中空パイプの上部シャフト１３と下部シャフト１４の２部品で構成され、これら上部シャフト１３と下部シャフト１４は、接続部２１において接続されている。
【００６２】
そして、上部シャフト１３の中空部の上方（グリップ４の近傍）には、グリップ４に発生した振動を検知する振動センサ１５が設けられ、上部シャフト１３の中空部の下方には、振動センサ１５と振動発生器１６の動作を制御する制御装置１７と、電源装置２３が設けられている。
また、上部シャフト１３および下部シャフト１４の中空部には、音を発する発音素子１９が設けられている。
【００６３】
かかる構成のスティック７を、球技用スティックとして使用する場合は、図１６に示すように、シャフト１を上、グリップ４を下にする。そして、打撃面１１で球を打撃した際にグリップ４に発生した振動は、上部シャフト１３のグリップ４の近傍に設けられた振動センサ１５により検出することができる。振動センサ１５は、検出した振動を、振動の大きさに対応したアナログまたはデジタルの電気信号αに変換し、制御装置１７に送信する。
【００６４】
制御装置１７は、振動センサ１５からの電気信号αを受信して、上部シャフト１３および下部シャフト１４に設けられた発音素子１９に対して、受信した電気信号αに対応したアナログまたはデジタルの電気信号βを送信する。そうすると、発音素子１９は、この電気信号βに対応した大きさの音を発生させる。
【００６５】
本実施例７に係るスティックは、球を打撃した際に、発音装置により増幅された音を発するので、エッグゴルフ、グラウンドゴルフ、ゲートボール等の球技をした場合、球を打撃したことを音により周囲のギャラリーに知らせることができる。このため、プレイヤーは、球技の面白みをより一層味わうことができる。
【００６６】
尚、本実施例７は、発音素子を上部シャフト１３および下部シャフト１４に設けたスティックを示したが、発音素子は、上部シャフト１３または下部シャフト１４のいずれか一方に設けても良い。また、振動センサは、実施例６に示したように、グリップ４の内部に設けても良い。
【００６７】
前記した実施例は、説明のために例示したものであって、本発明としてはそれに限定されるものではなく、特許請求の範囲、明細書および図面の記載から当業者が認識する事ができる本発明の技術的思想に反しない限り、変更、削除および付加が可能である。
【００６８】
例えば、図１７に示すように、本発明に係るスティックは、発光素子１８と発音素子１９の両方を用いて構成しても良く、さらに振動発生器を加えて構成しても良い。
また、図１２乃至図１７に示したスティックにおいて、図７および図８に示した切り欠き２４を設けても良い。
【産業上の利用可能性】
【００６９】
本発明は、歩行の補助として用いられるスティックに適用できる。
【符号の説明】
【００７０】
１  シャフト
２  シャフト上端取付部
３  把持部
４  グリップ
５  グリップの一端
６  グリップの他端
７  スティック
８  グリップの長手方向の中心
９  シャフトの上端
１０  シャフトの下端
１１  打撃面
１３  上部シャフト
１４  下部シャフト
１５  振動センサ
１６  振動発生器
１８  発光素子
１９  発音素子
【図１】
2010158491.tif 000003
【図２】
2010158491.tif 000004
【図３】
2010158491.tif 000005
【図４】
2010158491.tif 000006
【図５】
2010158491.tif 000007
【図６】
2010158491.tif 000008
【図７】
2010158491.tif 000009
【図８】
2010158491.tif 000010
【図９】
2010158491.tif 000011
【図１０】
2010158491.tif 000012
【図１１】
2010158491.tif 000013
【図１２】
2010158491.tif 000014
【図１３】
2010158491.tif 000015
【図１４】
2010158491.tif 000016
【図１５】
2010158491.tif 000017
【図１６】
2010158491.tif 000018
【図１７】
2010158491.tif 000019